(57)【特許請求の範囲】
【請求項１】
蓋又は扉の開閉に応じて移動する第１の可動部材と、この第１の可動部材を移動自在に支持する支持部材と、前記第１の可動部材の移動に応じて移動する離れた位置に設けられている第２の可動部材と、この第２の可動部材を移動自在に支持する支持部材と、前記第１及び第２の可動部材間で当該可動部材の移動を伝達する伝達手段と、前記第２の可動部材移動方向に対して直交する方向に配置された光ファイバと、前記光ファイバが挿入されるとともに、前記第２の可動部材の移動方向に直交する方向に配置され、Ｕターンするように両端が固定されたコイルバネ又は硬質ゴムチューブとからなり、前記第１又は第２の可動部材には圧縮バネが貫挿されており、蓋又は扉が閉じているときには蓋又は扉によって前記第１の可動部材を移動させ、この移動を前記伝達手段により前記第２の可動部材へ伝達され、前記圧縮バネを圧縮するとともに、前記第２の可動部材を移動させることにより前記光ファイバを曲げから開放し、蓋又は扉が開いているときには前記圧縮されている圧縮バネの付勢によって前記第１及び第２の可動部材を前記と反対方向に移動させることにより前記光ファイバに曲げを与えて発生する光ファイバの透過損失又は反射損失の変化を検出する装置であって、
前記第２の可動部材先端部に第１のローラを装着し、この第１のローラの両側に第２のローラが配置されて、前記第１のローラが移動することにより光ファイバに曲げを与える手段が構成され、この曲げを与える手段の構成が、１本の光ファイバに対して複数並置されていることを特徴とする蓋又は扉開閉検出装置。
【請求項２】
前記可動部材の移動を伝達する伝達手段がレリーズケーブルであることを特徴とする請求項１記載の蓋又は扉開閉検出装置。
【発明の詳細な説明】
【０００１】
【発明の属する技術分野】
本発明は、光ファイバ線路におけるハンドホールの蓋や電線共同溝の地下施設入口等に設置される蓋や扉の開閉を監視する目的として用いられる蓋又は扉開閉検出装置に関する。
【０００２】
【従来の技術】
従来光ファイバ線路内ハンドホール蓋開閉の監視にはＯＴＤＲ法が広く知られており、このＯＴＤＲ法において使用する光ファイバ曲げ損失を応用した蓋開閉検出装置が幾つか提案されている。
【０００３】
本願発明者等も、図４に示す光ファイバ曲げ損失を応用した蓋開閉検出装置を発明し出願した（特願平１１−２０６７７９）。この蓋開閉検出装置は、ハンドホールの蓋を開いたとき可動部材４４が圧縮バネ４５によって上方に移動し、可動部材４４に取付けたローラ４３によって光ファイバ１に曲げを生ぜしめ、その光ファイバの反射損失の変化を検知してハンドホール蓋の開放を検知するものである。
【０００４】
【発明が解決しようとする課題】
上記のような蓋開閉検出装置は図５に示すように、蓋開閉検出装置５０の可動部を蓋５１に直接接触させて取付けている。この結果、例えば、図３に示す如く蓋の枚数が３枚で構成されているハンドホールでは、蓋の枚数だけ蓋開閉検出装置を取付ける必要がある。また、その結果、施工上光ファイバの融着接続数が増え、コストアップとなる。
【０００５】
また、他のセンサ（例えば、錠開閉センサ，水位センサ等）を付加した場合、その数の検出装置が必要となる。
【０００６】
本発明はかかる上記の問題点を解決したものである。
【０００７】
【課題を解決するための手段】
本発明の蓋又は扉開閉検出装置は、蓋又は扉の開閉に応じて移動する第１の可動部材と、この第１の可動部材を移動自在に支持する支持部材と、前記第１の可動部材の移動に応じて移動する離れた位置に設けられている第２の可動部材と、この第２の可動部材を移動自在に支持する支持部材と、前記第１及び第２の可動部材間で当該可動部材の移動を伝達する伝達手段と、前記第２の可動部材移動方向に対して直交する方向に配置された光ファイバと、前記光ファイバが挿入されるとともに、前記第２の可動部材の移動方向に直交する方向に配置され、Ｕターンするように両端が固定されたコイルバネ又は硬質ゴムチューブとからなり、前記第１又は第２の可動部材には圧縮バネが貫挿されており、蓋又は扉が閉じているときには蓋又は扉によって前記第１の可動部材を移動させ、この移動を前記伝達手段により前記第２の可動部材へ伝達され、前記圧縮バネを圧縮するとともに、前記第２の可動部材を移動させることにより前記光ファイバを曲げから開放し、蓋又は扉が開いているときには前記圧縮されている圧縮バネの付勢によって前記第１及び第２の可動部材を前記と反対方向に移動させることにより前記光ファイバに曲げを与えて発生する光ファイバの透過損失又は反射損失の変化を検出する装置であって、前記第２の可動部材先端部に第１のローラを装着し、この第１のローラの両側に第２のローラが配置されて、前記第１のローラが移動することにより光ファイバに曲げを与える手段が構成され、この曲げを与える手段の構成が、１本の光ファイバに対して複数並置されていることを特徴とする。
【０００８】
上記の構成により、すなわち、蓋又は扉との接触部と開閉検出装置本体とをレリーズケーブルを用いることで分離し、１台の開閉検出装置本体内に複数の光ファイバに曲げを与える手段を設けるようにしたので、１台の開閉検出装置本体で複数枚の蓋開閉検出が可能となる。また、他のセンサ（錠開閉センサ，水位センサ等）を付加する場合でも、接触部（検出部）と検出装置本体をレリーズケーブルで接続することにより、１台の開閉検出装置本体で対応可能となる。
【０００９】
【発明の実施の形態】
図面に基づいて本発明の実施形態を説明する。図１は本発明の蓋又は扉開閉検出装置の一つの実施例を示す。図１において、ハンドホール蓋（図示せず）近傍に配置される開閉検出装置の接触部１０は、ハンドホール蓋の開閉に応じて上下移動する第１の可動部材１１を備えており、この第１の可動部材１１は、蓋接触ローラ１２と先（上）端に有し、圧縮バネ１３が貫挿されており、後（下）端にはレリーズケーブル１５と結合されている。このレリーズケーブル１５との結合部と圧縮バネ１３は充填されているグリス１４の中に在る。第１の可動部材１１は貫通孔１６を有する接触部ケース１７によって移動自在に支持されている。なお、符号１８は固定用ボルト孔である。
【００１０】
次に、ハンドホール蓋から離れたハンドホール内の空スペースに設置される開閉検出装置の本体２０は、第２の可動部材２１を備えており、この第２の可動部材２１は上記第１の可動部材１１の上下移動がレリーズケーブル１５によってそのまま伝達されて上下移動するものである。なお、第２の可動部材２１は貫通孔２５を有する支持材によって移動自在に支持されている。本体２０内には、曲げ損失を与える光ファイバ１をコイルバネ又は硬質ゴムチューブ２２の中に収納され、この光ファイバ１を収納したコイルバネ又は硬質ゴムチューブ２２は第２の可動部材２１の移動方向に直交する方向に配置され中央部でＵターンして両端を固定部２６で固定されている。第２の可動部材２１の下端側に第１のローラ２３が装着され、第１のローラ２３の両側に第２のローラ２４を内部に光ファイバ１を挿入したコイルバネ又は硬質ゴムチューブ２２を挟むように配置して光ファイバ１に曲げを与える手段を構成している。このように構成された曲げを与える手段の複数を隣接して設置されている。なお、第２の可動部材２１の上端はレリーズケーブル１５と結合され、光ファイバ１は箱体２７の貫通孔２８を通して外へ導かれている。また、箱体２７は防水構造となっていて、貫通孔２８等は防水処理されている。
【００１１】
図２に上述した蓋開閉検出装置の接触部１０と本体２０のハンドホール内設置例を示す。なお、符号３０はクロージャ，符号３１は光ケーブルである。
【００１２】
次に蓋開閉検出装置の動作を説明すると、ハンドホールの蓋が閉っている状態では、本装置は図１の状態にあり、第１の可動部材１１を圧縮バネ１３を圧縮しながら下方に移動させている。この移動量はレリーズケーブル１５によって第２の可動部材２１に伝達され、第２の可動部材２１を下方に移動させることにより光ファイバ１を曲げ損失から開放している。
【００１３】
また、蓋が開いた状態では、圧縮されている圧縮バネ１３に付勢されて第１の可動部材１１が上方に移動し、それがレリーズケーブル１５によって第２の可動部材２１に伝達され、第２の可動部材２１を上方に移動させることにより光ファイバ１に第１のローラ２３の曲率の曲げを与え、光ファイバ１に損失を発生させている。
【００１４】
また、第１の可動部材１１が摺動する貫通孔１６の防水を充填されているグリス１４によって行なっている。
【００１５】
上記の動作説明は他の組の曲げを与える手段についても同様である。なお、実施例では３組の曲げを与える手段を有する装置を示したが、必要数増加することは可能である。
【００１６】
また、本発明は、電力ケーブル線路のマンホール蓋及び洞道扉の開閉検出にも適用可能である。
【００１７】
【発明の効果】
本発明の蓋又は扉開閉検出装置によれば、１台の開閉検出装置本体で複数枚の蓋開閉検出が可能となる。また、他のセンサ（錠開閉センサ，水位センサ等）を付加する場合でも、接触部（検出部）と検出装置本体をレリーズケーブルで接続することにより、１台の開閉検出装置本体で対応可能である。従って、光ファイバ融着接続箇所も最低限でよく、非常にコストダウンとなる。
【００１８】
また、接触部と開閉検出装置本体をレリーズケーブルを用いることで分離することにより、接触部のみの強化が可能であり、乱暴な蓋開閉作業にも対応可能となる。更に、万一不具合が発生しても、接触部のみの取換え等の対応で済む。
【図面の簡単な説明】
【図１】本発明の蓋又は扉開閉検出装置の一つの実施例で、ハンドホール蓋が閉じられている時の状態を示す説明図である。
【図２】本発明の蓋又は扉開閉検出装置のハンドホール内設置例を示す説明図である。
【図３】従来の技術の課題として説明した従来の蓋開閉検出装置の設置例を示す説明図である。
【図４】従来の技術として説明した本発明に係る既出願の蓋開閉検出装置の説明図である。
【図５】従来の蓋開閉検出装置のハンドホール内設置例を示す説明図である。
【符号の説明】
１  光ファイバ
１０  蓋開閉検出装置の蓋接触部
１１  第１の可動部材
１３  バネ
１４  グリス
１５  リレーズケーブル
２０  蓋開閉検出装置本体
２１  第２の可動部材
２２  コイルバネ
２３  第１のローラ
２４  第２のローラ
【図１】
0004338271.tif 000002
【図２】
0004338271.tif 000003
【図３】
0004338271.tif 000004
【図４】
0004338271.tif 000005
【図５】
0004338271.tif 000006